(57)【特許請求の範囲】
【請求項１】
ハンドルに連結可能である基部（２）を有するハウジングと、先端が切断方向（Ａ）において切断するように切断面（４）内に整列される２つ以上の刃（３）と、切断方向（Ａ）における該刃の前側及び／又は後側に配設され、かつ皮膚接触面（６）を有する湿潤ブロック（５）と、を含むかみそりカートリッジ（１）であって、
（ａ）前記湿潤ブロック（５）が、前記湿潤ブロック（５）の少なくとも５０重量％の親油性物質を含み、
（ｂ）前記皮膚接触面（６）が、前記刃（３）から離れる方向に前記基部（２）に向かって傾斜し、
前記湿潤ブロック（５）が、前記湿潤ブロック（５）の４重量％〜１２重量％の構造化ポリマーを含み、
前記構造化ポリマーが、線状ＡＢＡブロックコポリマーを含み、
前記線状ＡＢＡブロックコポリマーが、スチレン−ブタジエン−スチレンブロックコポリマー、スチレン−イソプレン−スチレンブロックコポリマー、スチレン−エチレンブチレン−スチレンブロックコポリマー、又はこれらの混合物を含む、かみそりカートリッジ（１）。
【請求項２】
前記皮膚接触面（６）が平面である、請求項１に記載のかみそりカートリッジ（１）。
【請求項３】
前記皮膚接触面（６）が凸曲面又は凹曲面を画定する、請求項１に記載のかみそりカートリッジ（１）。
【請求項４】
皮膚接触面（６）の接線の全てが、前記切断面に対して鋭角αで傾斜する、請求項１又は２に記載のかみそりカートリッジ（１）。
【請求項５】
前記角度αが５°〜１５°である、請求項４に記載のかみそりカートリッジ（１）。
【請求項６】
前記湿潤ブロック（５）が、前記湿潤ブロック（５）の６０重量％〜９５重量％の親油性物質を含む、請求項１〜５のいずれか一項に記載のかみそりカートリッジ（１）。
【請求項７】
前記湿潤ブロック（５）が、ワセリン、エステル、トリグリセリド、ワックス、又はこれらの混合物を含む、請求項１〜６のいずれか一項に記載のかみそりカートリッジ（１）。
【請求項８】
前記湿潤ブロック（５）がワックスを含み、前記湿潤ブロック（５）が、前記湿潤ブロック（５）の２重量％〜２０重量％のワックスを含む、請求項１〜７のいずれか一項に記載のかみそりカートリッジ（１）。
【請求項９】
前記湿潤ブロック（５）が、０．５０ｋｇ〜３．５０ｋｇのＣｈａｔｉｌｌｏｎ硬度を有する、請求項１〜８のいずれか一項に記載のかみそりカートリッジ（１）。
【請求項１０】
前記湿潤ブロック（５）が、前記切断方向（Ａ）における前記切断刃（３）の後側に配設される、請求項１〜９のいずれか一項に記載のかみそりカートリッジ（１）。
【請求項１１】
前記線状ＡＢＡブロックコポリマーが、スチレン−エチレンブチレン−スチレンブロックコポリマーを含み、
前記スチレン−エチレンブチレン−スチレンブロックコポリマーのエチレンブチレンに対するスチレンの重量比は、約３０：７０の範囲である、請求項１乃至１０のいずれか一項に記載のかみそりカートリッジ（１）。
【請求項１２】
前記湿潤ブロック（５）は、トリヒドロキシステアリン、エチレン酢酸ビニル、又はこれらの混合物を含む、請求項１乃至１１のいずれか一項に記載のかみそりカートリッジ（１）。
【請求項１３】
請求項１〜１２のいずれか一項に記載のかみそりカートリッジ（１）を含むかみそり。
【請求項１４】
除毛しかつ皮膚を湿潤するための、請求項１３に記載のかみそりの使用。
【発明の詳細な説明】
【技術分野】
【０００１】
本発明は、保湿材のブロックを備えたかみそりカートリッジの提供に関する。
【背景技術】
【０００２】
化学成分を組み込んだ脱毛装置は既知であり、本明細書では「搭載した（onboard）」組成物を含む装置と呼ぶものとする。湿式剃毛かみそりに搭載石鹸組成物を採り入れることを教示しているＰＣＴ国際公開特許ＷＯ  ０７／０５６５０９を参照することができる。皮膚を潤滑にするために、ポリエチレンオキシドなどの親水性ポリマーを大量に含む搭載した皮膚係合組成物（skin-engaging composition）を組み込んだ湿式剃毛かみそりを提供することも、既知である。例えば、ＰＣＴ国際公開特許ＷＯ  ９７／０２１１６、及び同ＷＯ  ９７／０２１１７号を参照されたい。
【０００３】
上で参照した特許出願は、更なる泡立ち及び石鹸に関連する利益など、又はポリエチレンオキシドの場合には改善された潤滑特性といった様々な利点の提供に関する。搭載した化学組成物によって皮膚保湿効果をもたらすことができることは、特に、皮膚の保湿剤を使用することに関して女性よりも意欲的でない男性ユーザーにとって、代替物としてあるいは追加物として利益をもたらすであろう。しかしながら、搭載した化学組成物により保湿効果をもたらすことは、それに伴う多くの問題を有する。
【０００４】
皮膚の保湿は様々な異なる方法で達成することができるが、皮膚の保湿を達成するための１つの重要な配合的手段は、ポリオールなどの水と結合する物質を含むことである。しかしながら、そのような物質の水結合能は、一部にはそれらの有意な親水性に由来し、このことは、ウェットシェービング中などの場合、即ち剃毛の初期段階の間に物質が洗い流されてしまう可能性がある場合のように、水が関係するあらゆる状況における該物質の使用を不適当なものとする可能性がある。代替的手法は、皮膚を覆い、それによって既に皮膚の中に存在している水分を保持するように働く、吸蔵性の疎水性物質を使用することであり得る。こうした材料は、高い水性環境における使用中に洗い流されにくい皮膚軟化剤である。ＰＣＴ国際公開特許ＷＯ  ０６／１０８５２２は、搭載した化学組成物中での少量の疎水性皮膚軟化剤の使用を開示している。しかしながら、疎水性皮膚軟化剤をかなりの割合で含む配合物は、かかる物質が疎水性の皮膚表面と親和性であることから、皮膚に対する高い摩擦抵抗を引き起こす可能性がある。ユーザーは、高い摩擦抵抗が剃毛中に不快感を増大させる傾向があると報告している。
【０００５】
米国特許出願第２００９／０２２３０５７号は、上述の従来技術と同じような理由で、ポリオキシエチレンを含む剃毛補助剥離用組成物を開示している。剃毛補助の寿命を向上させるために、ポリオキシエチレンは、脂肪族アルコールなどの、両親媒性であるが概して疎水性である物質と混合される。
【先行技術文献】
【特許文献】
【０００６】
【特許文献１】ＰＣＴ国際公開特許ＷＯ  ０７／０５６５０９
【特許文献２】ＰＣＴ国際公開特許ＷＯ  ９７／０２１１６
【特許文献３】ＰＣＴ国際公開特許ＷＯ  ９７／０２１１７号
【特許文献４】ＰＣＴ国際公開特許ＷＯ  ０６／１０８５２２
【特許文献５】米国特許出願第２００９／０２２３０５７号
【発明の概要】
【課題を解決するための手段】
【０００７】
本発明の第１の態様によると、ハンドルに連結可能である基部を有するハウジングと、先端が切断方向において切断するように切断面内に整列される２つ以上の刃と、刃の切断方向前側及び／又は後側に配設され、かつ皮膚接触面を有する湿潤ブロックと、を含むかみそりカートリッジであって、
（ａ）湿潤ブロックが、湿潤ブロックの少なくとも５０重量％の親油性物質を含み、
（ｂ）皮膚接触面が、刃から離れる方向に基部に向かって傾斜する、かみそりカートリッジが提供される。
【０００８】
本発明の第２の態様によると、本発明の第１の態様によるカートリッジを含むかみそりが提供される。
【０００９】
本発明の第３の態様によると、除毛しかつ皮膚を湿潤するための、本発明の第２の態様によるかみそりの使用が提供される。
【図面の簡単な説明】
【００１０】
【図１】本発明によるかみそりカートリッジの図である。
【発明を実施するための形態】
【００１１】
本発明によると、少なくとも２つの刃を含み、それらの先端が切断方向において切断するように切断面内に整列しているかみそりカートリッジが提供される。かみそりカートリッジは、基部を有するハウジングを備える。基部は、当業者に既知であり、ここで詳細に述べる必要はない手段によって、ハンドルに連結可能である。
【００１２】
本発明によるかみそりカートリッジは、湿潤ブロックを含む。湿潤ブロックは、湿潤堆積物を皮膚上に残すためにヒトの皮膚を剃毛する間及び剃毛の結果侵食されるように、侵食性であるように構成される。本明細書で使用する用語「侵食性」は、湿潤ブロックに関連して用いる場合、以下に提供されるプロトコルに従って測定した場合に、２５℃において０．５０〜３．２５ｋｇ、好ましくは０．７５〜３．００ｋｇ、より好ましくは１．００〜２．５０ｋｇのＣｈａｔｉｌｌｏｎ硬度を有する湿潤ブロックを包含する。有益な磨耗速度は、この範囲内で達成され得る。効果的な湿潤をもたらすために、湿潤ブロックは、湿潤ブロックの少なくとも５０重量％、好ましくは６０重量％〜９５重量％、より好ましくは７０重量％〜９０重量％の親油性物質を含む。
【００１３】
親油性物質は、室温で液体、半固体、及び／又は固体であってもよく、また、１つ又は複数の炭化水素、脂肪酸、脂肪アルコール、エステル類、トリグリセリド、脂肪、バター、ワックス、親油性皮膚活性剤、又はこれらの混合物を含んでもよい。
【００１４】
有利には、固体又は半固体が存在する場合には、湿潤ブロックは、湿潤ブロックの２０重量％未満、好ましくは５重量％未満の１００℃を超える融点を有する物質を含み、より好ましくは該材料を全く含ない。これは、過剰量のかかる物質は、湿潤ブロックを非柔軟性にし、したがって製造及び／又は試料中に亀裂が入りやすくなり得るという理由による。
【００１５】
湿潤ブロック内に含ませることができる液体、半固体、又は固体の炭化水素系親油性物質としては、直鎖、分枝鎖、飽和及び不飽和の炭化水素、並びにこれらの混合物が挙げられ、これらは、天然又は合成の炭化水素皮膚軟化剤及びこれらの混合物を含み得る。好ましい天然炭化水素皮膚軟化剤としては、ペトロラタム、鉱油及びこれらの混合物が挙げられる。好ましい合成炭化水素皮膚軟化剤としては、イソヘキサデカン（例えば、ＣｒｏｄａのＡｒｌａｍｏｌ  ＨＤ（商標））及びポリデセン（例えば、Ｅｘｘｏｎ  ＭｏｂｉｌのＰｕｒｅｓｙｎ  ２（商標））などの分枝鎖炭化水素が挙げられる。
【００１６】
湿潤ブロック内に含ませることができる液体、半固体、又は固体の脂肪アルコール又は脂肪酸皮膚軟化剤としては、飽和及び不飽和の高級アルコール、特にＣ１２〜Ｃ３０脂肪アルコール、及び脂肪酸、特にラウリン酸、ミリスチン酸、パルミチン酸、ステアリン酸、アラキジン酸、又はベヘン酸が挙げられる。
【００１７】
湿潤ブロック内に含ませることができる液体、半固体、又は固体のエステル皮膚軟化剤としては、Ｃ１２〜Ｃ３０アルコールのエステル類、及びこれらの混合物、特にミリスチン酸イソプロピル、イソステアリン酸イソプロピル、及びこれらの混合物が挙げられる。
【００１８】
湿潤ブロック内に含ませることができる液体、半固体、又は固体のトリグリセリド皮膚軟化剤としては、合成又は天然のトリグリセリド、特にヒマワリ、アボカド、オリーブ、キャスター、ココナッツ、ココア、及びこれらの混合物由来の天然トリグリセリドが挙げられる。より好ましいのは、ココヤシ由来トリグリセリド、例えば市販の材料であるＭｙｒｉｔｏｌ（商標）３１２及び３１８（Ｃｏｇｎｉｓ）、Ｅｓｔａｓａｎ（商標）（Ｃｒｏｄａ）及びＭｉｇｌｙｏｌ（商標）（Ｓａｓｏｌ）である。
【００１９】
湿潤ブロック内に含ませることができる液体、半固体、又は固体の脂肪及びバター皮膚軟化剤としては、ココナツバター、シアバター、及びこれらの混合物が挙げられる。
【００２０】
湿潤ブロック内に含ませることができる液体、半固体、又は固体のワックス皮膚軟化剤としては、パラフィンワックス、マイクロクリスタリンワックス、カンデリラ（candellila）、オゾケライト、及びこれらの混合物、好ましくはパラフィンワックスが挙げられる。有利には、ワックスは湿潤ブロックに改善された硬度及び侵食性を与えることができるので、湿潤ブロックはいくらかのワックスを含むが、上述のように、過剰な量のワックスの存在は組成物を非柔軟性にし、したがって製造及び／又は使用中に亀裂が入りやすくなり得る。好ましくは、湿潤ブロックは、湿潤ブロックの２重量％〜２０重量％、より好ましくは３重量％〜１５重量％のワックスを含む。
【００２１】
湿潤ブロック内に含ませることができる液体、半固体、又は固体の親油性皮膚活性剤としては、皮膚上での活性を有する油溶性ビタミン及び剤、例えば、ビタミンＥアセテート及びニコチン酸トコフェロールなどのビタミンＥ誘導体；レチニルパルミテートなどの油溶性ビタミンＡ誘導体；ラノリン；セラミド；ステロール及びステロールエステル；サリチル酸；カンファー；ユーカリプトール；精油、並びにこれらの混合物が挙げられる。
【００２２】
本発明による湿潤ブロックは、切断方向における前記刃の前側及び／又は後側に配設されてもよいが、好ましくは刃の後側に配設される。湿潤ブロックは皮膚接触面を備え、該皮膚接触面は平面であってもよく、又は浅い凸曲面及び／又は凹曲面を画定してもよい。平面表面は、凸状又は凹状表面よりも大きな付着表面積を提供することができるので、有利には、皮膚接触面は平面である。皮膚接触面は、刃から離れる方向にかみそりカートリッジの基部に向かって傾斜する。この特徴は、ユーザーが体験する抵抗を軽減すると同時に、湿潤ブロックによる保湿剤の付着を容易にすることができる。有利には、皮膚接触面は、皮膚接触面の全ての接線が、切断面に対して鋭角αで傾斜するように傾斜する。より有利には、角度αは５°〜１５°である。
【００２３】
湿潤ブロックは、構造化ポリマーを追加的に含んでもよい。好ましくは、湿潤ブロックは、湿潤ブロックの２重量％〜５０重量％、好ましくは３重量％〜４０重量％、より好ましくは４重量％〜１２重量％の構造化ポリマーを含む。
【００２４】
本明細書において定義されるように、構造化ポリマーは、上で定義された「親油性物質」の１つと見なされず、「親油性物質」の重量パーセントを計算する目的には無視されるものとする。
【００２５】
有利には、構造化ポリマーはブロックコポリマーを含む。より有利には、ブロックコポリマーは、ジブロックコポリマー、トリブロックコポリマー、マルチブロックコポリマー、放射状ブロックコポリマー、ランダムブロックコポリマー、又はこれらのポリマーの混合物を含む。
【００２６】
ブロックコポリマーがトリブロックコポリマーを含む場合には、トリブロックコポリマーは好ましくは、線状ＡＢＡトリブロックポリマーを含む。理論に束縛されるものではないが、本出願人らは、Ａブロックが凝集してドメインを生成し、その中で潤いを与える疎水性相が蓄積し、Ｂブロックによって一緒に連結されると考える。この構造体は、湿潤ブロックに対して必要な耐摩耗性を与えるために適切な硬度を提供する一方で、処理するのに十分なだけ、並びに処理及び／又は使用中に亀裂が入らない若しくは破断しないだけ十分に可撓性であり得る。
【００２７】
有利に、線状ＡＢＡブロックコポリマーは、スチレン−ブタジエン−スチレン（ＳＢＳ）ブロックコポリマー、スチレン−イソプレン−スチレン（ＳＩＳ）ブロックコポリマー、スチレン−エチレンブチレン−スチレン（Ｓ−ＥＢ−Ｓ）ブロックコポリマー、及びこれらの混合物を含む。より有利には、線状ＡＢＡブロックコポリマーは、好ましくは、スチレン−エチレンブチレン−スチレン（Ｓ−ＥＢ−Ｓ）ブロックコポリマーを含む。更により有利には、Ｓ−ＥＢ−Ｓのエチレンブチレンに対するスチレンの重量比は、２０：８０〜４０：６０、好ましくは約３０：７０の範囲である。
【００２８】
特に有用な市販のＡＢＡブロックコポリマーとしては、Ｐｅｎｒｅｃｏ社から入手可能なＶｅｒｓａｇｅｌ（商標）材料及びＫｒａｔｏｎ（商標）Ｇシリーズ、特にＧ−６１５０、Ｇ−１６５１、Ｇ−１６５２、及び１６５４が挙げられる。
【００２９】
上述のように、湿潤ブロック内に含まれる構造化ポリマーは、ランダムブロックコポリマーを含んでもよい。好適なランダムブロックコポリマーの例としては、エチレンと酢酸ビニルとのコポリマーであるエチレン酢酸ビニル（ＥＶＡ）が挙げられる。有利に、ＥＶＡポリマー内に含まれるエチレンの量は、有益な耐摩耗性をもたらすためにＥＶＡの６５〜９０重量％、好ましくは７０〜８５重量％である。市販の範囲のＥＶＡはＥｌｖａｘ（商標）と呼ばれ、ＤｕＰｏｎｔ社により商品化されている。
【００３０】
湿潤ブロックは、改善理を実施し易くするために、油相ゲル化剤などの組成物に好適な融解粘度を与える１種以上の追加の成分を含んでもよいが、但し、この追加の成分は湿潤ブロックの硬度又は浸出性を著しく低減しないことが前提となる。そのような成分の例は、Ｔｈｉｘｃｉｎ  Ｒ（商標）（Ｅｌｅｍｅｎｔｉｓ  Ｓｐｅｃｉａｌｉｔｉｅｓ製）として市販されているトリヒドロキシステアリン、エチレン酢酸ビニル（ＥＶＡ）、及びこれらの混合物である。
【００３１】
本発明による湿潤ブロックは、親油性物質を融解するのに好適な温度（典型的には１３０℃）まで親油性物質を加熱した後、構造化ポリマーを添加し、構造化ポリマーが溶解するまでよく混合することによって作製され得る。次に、この混合物を、典型的には９０℃まで冷却し、その後任意の他の成分が加えられる。最終工程において、該混合物を好適な容器又は金型に注ぎ込み、室温まで冷却する。
【００３２】
混合物が固まって湿潤ブロックを形成したら、これを適切なやり方でかみそりカートリッジに取り付けることができる。かかる手法の１つは、湿潤ブロックをカートリッジの上に直接成形することである。他の手法は、接着剤組成物を用いて湿潤ブロックを直接又は間接的にカートリッジに接着することである。間接的に接着する方法の１つは、アセテートシートなどの適切な基材のシートの上に湿潤ブロックを注型成形した後、このシートを、例えば機械的に又は接着剤によってカートリッジに接着することである。
【００３３】
図１は、本発明によるかみそりカートリッジ（１）の非限定的な例を示す。カートリッジ（１）は、当業者に既知の手段を用いてハンドルに連結可能である基部（２）を有するハウジングを含む。カートリッジ（１）は刃（３）を含み、それらの先端は、切断方向（Ａ）において切断するように切断面（４）内に整列される。カートリッジは湿潤ブロック（５）も含む。この実施では、湿潤ブロック（５）は刃（３）の後側に配設されているが、代わりに又は追加的に、刃（３）の前側に配設されてもよい。湿潤ブロック（５）は、刃（３）から離れる方向に基部（２）に向かって、切断面（４）に対して角度αで傾斜する皮膚接触面（６）を含む。この実施形態はまた、前側皮膚係合要素（７）と後側皮膚係合要素（８）とを含む。
【００３４】
Ｃｈａｔｉｌｌｏｎ硬度試験
設備：デジタルフォースゲージを装備するＣｈａｔｉｌｌｏｎ  ＴＣＤ  ２００
【００３５】
試料調製
１．完全に融解させて６０ｍＬの量り皿（７０ｍｍ×７０ｍｍ×２４ｍｍ）に入れる。
２．脂質を２５℃で一晩保存して平衡化する。
３．硬度試験の前に湿潤ブロックを量り皿から注意深く取り出す。
【００３６】
機械の準備
Ａ）
１．Ｃｈａｔｉｌｌｏｎ  ＴＣＤ  ２００及びデジタルフォースゲージをメーカーの使用説明書に従って準備する。
２．ランプ速度を４７ｍｍ／分に設定する。
Ｂ）硬度値を２５℃で測定する。
１．この試験方法の場合、尖頭構造をランプの軸に取り付ける必要がある。
２．上記の通りに調製した湿潤ブロックを、ランプの軸の中央の真下の金属基板上に横にした状態で置く。湿潤ブロックの中点をランプの軸の中央と一致させる必要がある。
３．湿潤ブロックが平板の下の定位置にあり、速度が４７ｍｍ／分で設定され、デジタルフォースゲージが上述のように「Ｃ  Ｐｅａｋ」で設定された状態で、Ｃｈａｔｉｌｌｏｎ  ＴＣＤ２００の「Ｄｏｗｎ」ボタンを押し下げる。
４．プローブが湿潤ブロックの表面に触れると同時にＣｈａｔｉｌｌｏｎ  ＴＣＤ２００を停止し、距離カウンタをゼロに設定する。
５．フォースゲージをゼロになるようにリセットする。
６．距離カウンタが１３ｍｍになるまでＣｈａｔｉｌｌｏｎ  ＴＣＤ２００上の「Ｄｏｗｎ」ボタンを押し下げ、Ｃピークの読みを記録する。
【実施例】
【００３７】
以下の実施例は、刃の切断方向における前記刃の後側に配設されるストリップとしてかみそりカートリッジに組み込まれた、本発明による湿潤ブロックを開示する。使用中、かみそりに取り付けられると、かみそりカートリッジは、除毛しかつ除毛された皮膚を湿潤するのが観察された。
【００３８】
【表１】
0005795436.tif 000002
【００３９】
実施例１の組成物は、炭化水素及びワックスを１３０℃に加熱した後、線状ＡＢＡトリブロックポリマー（Ｋｒａｔｏｎ  Ｇ１６５０Ｅ）を添加し、ポリマーが完全に溶解するまで十分に混合することによって製造される。次に混合物を９０℃に冷却し、Ｔｈｉｘｃｉｎを添加し、その後混合物をカートリッジの上に成形し、室温まで冷却する。
【００４０】
実施例１の配合物のＣｈａｔｉｌｌｏｎ硬度は１．７であり、角度αは１２．４°となるように成形された。
【００４１】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【図１】
0005795436.tif 000003